(57)【要約】【課題】奉書紙等の幣束作成用紙に切り込みを入れ、切込みが入った幣束作成用紙を展開して幣束を作成する際に、複数枚の幣束作成用紙を重ねて一度に加工する場合であっても、幣束作成用紙がずれることなく、切損じを防止し、所望形状の幣束を確実に作成可能とすること、又、その作成の工程数、特に切り込みを入れるための工程数を大幅に減じて、その作成を容易とすること、短時間とすることを目的とする。【解決手段】平面形状が長方形の平板状の基板２の両側端２１，２１から基板２の表面２４から裏面２３に達する複数の切込み３，３…を左右交互に互いに略平行に設けたことを特徴とする幣束作成補助具１。【選択図】  図１
2006212129.tif 000002
【特許請求の範囲】
【請求項１】
平面形状が四角形の平板状の基板の両側端から基板の表面から裏面に達する複数の切込みを設けたことを特徴とする幣束作成補助具。
【請求項２】
複数の切込みは互いに略平行に設けたことを特徴とする請求項１記載の幣束作成補助具。
【請求項３】
基板の裏面には位置決め部材を設けたことを特徴とする請求項１又は２記載の幣束作成補助具。
【請求項４】
基板の裏面には滑り防止部材を設けたことを特徴とする請求項１から３のうちいずれか一項に記載の幣束作成補助具。
【請求項５】
基板を透明に構成すると共に、位置合わせ手段を設けたことを特徴とする請求項１から４のうちいずれか一項に記載の幣束作成補助具。
【請求項６】
基板には複数セットの切込みを設け、切込みに記号を付したことを特徴とする請求項１から５のうちいずれか一項に記載の幣束作成補助具。
【請求項７】
基板に下敷を開閉自在に連結したことを特徴とする請求項１から６のうちいずれか一項に記載の幣束作成補助具。
【請求項８】
下敷の表面には位置決め部材を設けたことを特徴とする請求項７記載の幣束作成補助具。
【請求項９】
下敷には、基板と下敷を重ねたときに基板の切込みに対応する位置に切欠部を設けたことを特徴とする請求項７又は８記載の幣束作成補助具。
【発明の詳細な説明】
【技術分野】
【０００１】
本発明は、幣束製造補助具に関し、詳しくは、半紙や奉書紙その他の和紙等の幣束作成用紙に切り込みを入れて幣束を作成する際に、切り込み作業を容易にするための幣束作成補助具に関する。
【背景技術】
【０００２】
幣束は主に注連縄、幣串、祓え串、榊等に吊設又は幣台に安置される等して、仏事、神事、祭礼、祈祷、正月飾り等に使用されているものである。この幣束は主に奉書紙や半紙その他の和紙等の紙や布を用いて作成されている。即ち、方形の奉書紙両端から左右交互に略平行の切り込みを入れ、切り込みに従って紙を展開させて形成している（例えば、特許文献１参照。）。そして、従来から、この切り込みを入れる作業は図８に示すような台紙１０を用いて行われている。台紙１０は幣束を作成する紙即ち、図９に示すような幣束作成用紙１３と同一形状の方形の薄紙又は厚紙で、両側端から互いに平行な直線１１，１１…が交互に底辺１２に対して平行或いは傾斜して描かれている。
【０００３】
そして、この台紙１０を幣束作成用紙１３の上に角を合わせて載置し、直線１１の幣束作成用紙１３の内側に位置する端部１１１に錐をあて、錐で台紙１０と共に幣束作成用紙１３に孔をあけ、或いは凹部を形成して印を付ける。更に、直線１１の他端部１１２又はその線上のいずれかにも同様にして印を設けた後に、台紙１０を除けて幣束作成用紙１３の上に付けられた二個の印を結んで直線１３１を書き、定規を当ててカッターでその直線１３１に沿って、或いは直線１３１を書かずに二個の印に定規を当てて切り込みを入れていた。そして、このような作業を幣束作成用紙１３に設ける切り込み毎に行っていた。総ての直線１３１，１３１…に切り込みを入れた後に、切れ込みの最深部から点線１３２で折り返して、図１０に示すような幣束１４を形成していた。
【０００４】
しかし、幣束作成用紙１３は通常多数枚を重ね合せて一度に加工するため、直線１３１は最上層の幣束作成用紙１３にのみ書かれ、その直線１３１にしたがって、下層の幣束作成用紙１３，１３…にも同時に切り込みを入れる。従って、切り込みを入れるのには力が必要であり、切り込みを入れる際や定規を移動させる際に重ねた幣束作成用紙１３がずれてしまい、切損じや、所望形状の幣束１４を形成出来ないことがあった。
【０００５】
更に、この従来の台紙を用いた幣束の作成は、錐による孔明け、線引き、定規の移動等幣束作成用紙に切り込みを入れるための工程数が多く、幣束の作成が煩雑であり、時間がかかるという問題点があった。
【０００６】
【特許文献１】特開２００４−１４１５０１
【発明の開示】
【発明が解決しようとする課題】
【０００７】
そこで、本願発明は、上記従来技術の問題点を解決し、複数枚の幣束作成用紙を重ねて一度に加工する場合であっても、幣束作成用紙がずれることなく、切損じを防止し、所望形状の幣束を確実に作成可能とすることを目的とする。
【０００８】
又、幣束の作成の工程数、特に切り込みを入れるための工程数を大幅に減じて、その作成を容易とすること、短時間とすることを目的とする。
【課題を解決するための手段】
【０００９】
上記課題を解決するための手段としての本願発明は、平面形状が四角形の平板状の基板の両側端から基板の表面から裏面に達する複数の切込みを互いに略平行に設けたことを特徴とする幣束作成補助具である。
【００１０】
又、上記幣束作成補助具において、複数の切込みは互いに略平行に設けたことを特徴とする幣束作成補助具である。
【００１１】
又、上記幣束作成補助具において、基板の裏面には位置決め部材を設けたことを特徴とする幣束作成補助具である。
【００１２】
又、上記幣束作成補助具において、基板の裏面には滑り防止部材を設けたことを特徴とする幣束作成補助具である。
【００１３】
又、上記幣束作成補助具において、基板を透明に構成すると共に、位置合わせ手段を設けたことを特徴とする幣束作成補助具である。
【００１４】
又、上記幣束作成補助具において、基板には複数セットの切込みを設け、切込みに記号を付したことを特徴とする幣束作成補助具である。
【００１５】
又、上記幣束作成補助具において、基板に下敷を開閉自在に連結したことを特徴とする幣束作成補助具である。
【００１６】
又、上記幣束作成補助具において、下敷の表面には位置決め部材を設けたことを特徴とする幣束作成補助具である。
【００１７】
又、上記幣束作成補助具において、下敷には、基板と下敷を重ねたときに基板の切込みに対応する位置に切欠部を設けたことを特徴とする幣束作成補助具である。
【発明の効果】
【００１８】
以上のような本発明によれば、複数枚の幣束作成用紙を重ねて一度に加工する場合であっても、幣束作成用紙がずれることなく、切損じを防止し、所望形状の幣束を確実に作成可能となった。
【００１９】
更に、幣束の作成の工程数を大幅に減じることが出来、その作成が容易となると共に、短時間とすることが可能となった。
【発明を実施するための最良の形態】
【００２０】
以下本発明の実施の形態を図に従って説明する。幣束作成補助具１は、長方形又は正方形の平板状の基板２の両側端２１，２１から複数の切込み３，３…を左右交互に互いに略平行に設けて構成している。
【００２１】
基板２の素材は特に限定されず、アクリル、ポリエチレン、ポリプロピレン、ポリスチレン等の合成樹脂、アルミニウムやステンレス等の金属、木材を用いた合板又は一枚板、厚紙等を用いて作成することが出来るが、幣束作成用紙１３へ切り込みを入れるために使用するカッターナイフ等の刃物によって削られにくい合成樹脂や軽量の金属が好ましい。
【００２２】
基板２の平面形状は幣束作成用紙１３或いは折畳んだ幣束作成用紙１３と同形状に形成し、厚みはその用いる素材により適宜変更し、幣束作成用紙１３へ切り込みを入れるために使用する刃物により切られ難い厚みに形成する。
【００２３】
切込み３は刃物のガイドであり、基板２の表面２４及び裏面２３に略垂直に形成し、基板２の表面２４から裏面２３に達しているが、その数、長さ、位置は限定されず、作成したい幣束１４の形状に対応して設ける。又、幅は使用する刃物の刃が挿入可能であれば特に限定されない。切込み３は、同じ長さの複数の切込み３，３…を基板２の両側端２１，２１から左右交互に互いに略平行に、同一幅で基板２の底辺２２に対して平行に設けるが、基板２の底辺２２に対して傾斜させたり、切込み３，３…毎に底辺２２に対する角度を変化させたり、二本毎に左右交互としたり、切込み３，３…間の幅に変化をもたせたり、長さを変化させたり、或いはこれらを適宜組み合わせたりして、適宜に変更することとしてもよい。このような切込み３を様々な形状とすることで、様々な形状の幣束を作成することが可能となる。
【００２４】
基板２には幣束作成用紙１３を位置決めする位置決め部材４を設けることとしてもよい。位置決め部材４は、使用時に幣束作成用紙１３と対向する基板２の裏面２３の隅に設けたＬ字状の壁４１により構成することが出来る。壁４１は、用いる幣束作成用紙１３の厚み以下にその高さを形成し、基板２の四隅に設けるが、一隅乃至三隅に設けることとしてもよい。
【００２５】
又、基板２の裏面２３には基板２と幣束作成用紙１３との滑りを防止するための滑り防止部材５を設けることとしてもよい。滑り防止部材５は少なくとも切込み３，３…部分に切欠部５２を設けた平板のゴム板５１を基板２の略全面に接着して構成ことが出来る。勿論適宜形状のゴム板を基板２の適宜箇所に部分的に接着して設けることとしてもよい。
【００２６】
幣束作成補助具１を用いて幣束１４を作成する際には、基板２の裏面２３に所望枚数の幣束作成用紙１３，１３…を対向させ、夫々の角を合わせて、或いは、位置決め部材４にて幣束作成用紙１３の位置を決定し、基板２を上にして両者を重ねる。幣束作成用紙１３，１３…は折畳んでいることもあり、折畳んでいない場合もある。そして、切込み３，３…に沿って刃物で幣束作成用紙１３，１３に切り込みを入た後、幣束作成補助具１を除け、切り込み（図９の直線１３１で示される部分）に従って幣束作成用紙１３を展開させ、即ち図９に示すように切り込みの最深部から点線１３２で折り返して幣束１４を形成する。このように幣束作成補助具１を用いることにより、幣束作成用紙１３への印付け、線引き、定規の移動等の工程を不要とし、幣束１４の作成工程を大幅に減じることが出来、又、基板２で幣束作成用紙１３の全面を押さえているので、多数枚の幣束作成用紙１３，１３…を重ねている場合であっても、幣束作成用紙１３，１３…がずれることなく、切損じを防止し、所望形状の幣束１４を確実に作成可能となるのである。
【００２７】
基板２の平面形状は幣束作成用紙１３より大きくすることとしてもよい。この場合には、使用時に幣束作成用紙１３と基板２の一隅を合わせて使用することも可能であるが、基板２の裏面２３に位置決め部材４を設けることが望ましい。位置決め部材４として上述のようなＬ字状の壁４１を基板２の裏面２３の一隅に設けたり、適宜位置に二箇所乃至四箇所に設けて構成することが出来る。
【００２８】
又、図４に示すように、透明の基板２を用いて、基板２と幣束作成用紙１３の位置を合わせる位置合わせ手段９を設けることとしてもよい。位置合わせ手段９は、基板２に幣束作成用紙１３と同一形状或いはその一部をなぞる位置決め線９１又は溝を設けることにより構成することが可能である。該位置決め線９１を大きさを異なさせて複数設けることにより、大きさの異なる幣束１４にも使用することが可能となる。使用の際は、幣束作成用紙１３の外周に位置決め線９１を合わせて、幣束作成用紙１３の上に幣束作成補助具１を載置して、幣束作成用紙１３の上に位置する切込み３，３…に沿って刃物で切り込みを入れる。
【００２９】
又、一の基板２で複数種類の幣束を作成可能とするために、基板２の表面２４に、切込み３，３…毎に、或いは一種類の幣束用の切込み３，３…のセット毎に記号８，８…を付して、多数の切込み３，３…を設けることとしてもよい。具体的には、図５に示すように、５本の切込み３，３…を設け、夫々の端部近傍に記号Ａ又は／及び記号Ｂの記号を描く。記号Ａが付された３本の切込み３，３…を用いる場合と、記号Ｂが付された３本の切込み３，３…を用いる場合とでは、異なる形状の幣束を作成することが可能となる。
【００３０】
又、他の実施例として、図６に示すように、幣束作成補助具１は、基板２と基板２に開閉自在に連結した平板状の下敷６とで構成してもよい。下敷６は上述のような基板２に用いる素材と同様なもの、望ましくは幣束作成用紙１３へ切り込みを入れるために使用する刃物によって削られにくく、且つ刃物が損傷し難い素材を用いて構成するが、下敷６と基板２とは同一の素材でなくてもよい。
【００３１】
基板２と下敷６は、夫々の一側端部に例えば柔軟性を有する合成樹脂製のバンド７１，７１等で構成される連結部材７，７の一端を接着、ねじ止め又は溶着等により固定して連結している。このような構成により、別個の作業台を必要とせず、しかも所望の枚数の幣束作成用紙１３をはさみこむことが可能となり便利である。勿論、基板２と下敷６は蝶番等公知の手段を用いて開閉自在に固定することとしてもよい。
【００３２】
又、下敷６には、基板２と下敷６を重ねたときに切込み３，３…に対応する位置に、下敷６の基板２と対向する面上に設けた溝或いは下敷６の上面から下面に達する切込み等で構成する切欠部を設けることとしてもよい。切欠部の幅及び長さは対向する基板２の切込み３の幅及び長さと同等に形成する。基板２と下敷６を重ねると、基板２の切込み３，３…と下敷の切欠部は同一平面上に位置することになる。このように構成することで、刃先が下敷６に食い込むことがないので、刃に加える力を減じることができ、楽に切り込みを入れることが出来ると共に、刃先の刃こぼれを防止することが出来る。
【００３３】
下敷６の平面形状は基板２と同一形状としてもよく、基板２より大きくしてもよい。尚、この実施例において使用する基板２は上述のような様々な基板２を用いることが可能である。又、図７に示すように、位置決め部材４は基板２に設けるのではなく、下敷６の基板２と対向する表面６１に設けることとしてもよい。下敷６に設ける場合、Ｌ字状の壁４１を、挟み込む幣束作成用紙１３，１３…の厚さ以上の高さに形成して、基板２の位置決めをも可能とする構成としてもよい。
【図面の簡単な説明】
【００３４】
【図１】本発明一実施斜視図
【図２】本発明の位置決め部材を備えた実施例斜視図
【図３】本発明の滑り防止部材を備えた実施例斜視図
【図４】本発明の位置合わせ手段を備えた実施例上面図
【図５】本発明の複数セットの切込みを備えた実施例斜視図
【図６】本発明の下敷を備えた実施例斜視図
【図７】本発明の下敷及び位置決め部材を備えた実施例斜視図
【図８】従来技術を示す平面図
【図９】幣束作成用紙の一例を示す平面図
【図１０】幣束の一例を示す平面図
【符号の説明】
【００３５】
１      幣束作成補助具
２      基板
２３    基板の裏面
３      切込み
４      位置決め部材
４１    壁
５      滑り防止部材
５１    ゴム板
６      下敷
７      連結部材
７１    バンド
８      記号
９      位置合わせ手段
１０    従来の型紙
１３    幣束作成用紙
１４    幣束
【図１】
2006212129.tif 000003
【図２】
2006212129.tif 000004
【図３】
2006212129.tif 000005
【図４】
2006212129.tif 000006
【図５】
2006212129.tif 000007
【図６】
2006212129.tif 000008
【図７】
2006212129.tif 000009
【図８】
2006212129.tif 000010
【図９】
2006212129.tif 000011
【図１０】
2006212129.tif 000012